(57)【要約】【課題】  仕切り体に組み立て可能な段ボールシートであって、組立作業が容易で、かつ、取り扱いが容易な段ボールシートを提供する。【解決手段】  本発明に係る段ボールシート１００は、第１端面５、第１中間面６、中央面７、第２中間面８、および第２端面９を有し、この順に連結して形成された２枚の仕切り板１と、２枚の仕切り板１の第１端面５同士を連結する第１端連結板２と、２枚の仕切り板１の中央面７同士を連結する中央連結板３と、２枚の仕切り板１の第２端面９同士を連結する第２端連結板４とを備えている。そして、各面５〜６の境界線１２〜１５および各板１〜４の境界線１６〜１７には折曲げ加工が施されている。【選択図】図１
2010030668.tif 000002
【特許請求の範囲】
【請求項１】
第１端面、第１中間面、中央面、第２中間面、および第２端面を有し、この順に連結して形成された２枚の仕切り板と、２枚の前記仕切り板の前記第１端面同士を連結する第１端連結板と、２枚の前記仕切り板の前記中央面同士を連結する中央連結板と、２枚の前記仕切り板の前記第２端面同士を連結する第２端連結板とを備え、各面の境界線および各板の境界線には折曲げ加工が施されている、仕切り体に組み立て可能な段ボールシート。
【請求項２】
請求項１に記載の段ボールシートを組み立ててなる仕切り体であって、２枚の前記仕切り板が互いに向き合うように、かつ、２枚の前記仕切り板が、前記第１端連結板、前記中央連結板、および、前記第２端連結板に対して垂直になるように前記各板の境界線が折曲げられており、前記中央面を中心にして前記仕切り板が凸形状を形成するように前記各面の境界線が折曲げられている、仕切り体。
【請求項３】
前記第１中間面および前記第２中間面が、それらに連結する前記中央面から広がるように形成されている、請求項２に記載の仕切り体。
【請求項４】
前記第１端連結板は前記第２端連結板側に突出する第１突出部を有し、前記第２連結板は前記第１端連結板側に突出する第２突出部を有し、組立状態において前記第１突出部と前記第２突出部とが当接する、請求項３に記載の仕切り体。
【発明の詳細な説明】
【技術分野】
【０００１】
本発明は、仕切り体に組み立て可能な段ボールシート、およびこの段ボールシートを組み立ててなる仕切り体に関する。
【背景技術】
【０００２】
仕切り体に組み立て可能な段ボールシートは、様々なものが提案されており（例えば特許文献１〜３参照）、これらのほとんどが複数枚のシートを組み合わせて仕切り体を形成するものである。
【特許文献１】特開平１１−３０１６４６号公報
【特許文献２】特開平１１−３４８９７１号公報
【特許文献３】特開２００４−２７６９２４号公報
【発明の開示】
【発明が解決しようとする課題】
【０００３】
複数枚のシートを組み合わせて仕切り体を形成する段ボールシートは、シート同士を組み合わせる必要があることから組立作業に時間がかかってしまい、また、シートの数が多いことから取り扱いが不便であるという問題があった。
【０００４】
そこで本発明は、仕切り体に組み立て可能な段ボールシートであって、組立作業が容易で、かつ、取り扱いが容易な段ボールシートを提供することを目的としている。また、この段ボールシートを組み立ててなる仕切り体を提供することを目的としている。
【課題を解決するための手段】
【０００５】
上記課題を解決するため、本発明に係る段ボールシートは、第１端面、第１中間面、中央面、第２中間面、および第２端面を有し、この順に連結して形成された２枚の仕切り板と、２枚の前記仕切り板の前記第１端面同士を連結する第１端連結板と、２枚の前記仕切り板の前記中央面同士を連結する中央連結板と、２枚の前記仕切り板の前記第２端面同士を連結する第２端連結板とを備え、各面の境界線および各板の境界線には折曲げ加工が施されており、仕切り体に組み立て可能である。
【０００６】
かかる構成によれば、一方の仕切り板を折畳むことによって、他方の仕切り板の折畳みが誘発されるため、短い時間で組立作業を行うことができる。また、本発明の段ボールシートは、１枚のシートで構成することができるため、取り扱いが容易である。
【０００７】
また、本発明に係る仕切り体は、上記の段ボールシートを組み立ててなる仕切り体であって、２枚の前記仕切り板が互いに向き合うように、かつ、２枚の前記仕切り板が、前記第１端連結板、前記中央連結板、および、前記第２端連結板に対して垂直になるように前記各板の境界線が折曲げられており、前記中央面を中心にして前記仕切り板が凸形状を形成するように前記各面の境界線が折曲げられている。
【０００８】
また、上記の仕切り体において、前記第１中間面および前記第２中間面が、それらに連結する前記中央面から広がるように形成してもよい。かかる構成によれば、第１中間面と第２中間面とが平行である場合（第１中間面および第２中間面が中央面と直角をなす場合）に比べ、少ない面積の段ボールシートで仕切り体を構成することができる。
【０００９】
また、上記の仕切り体において、前記第１端連結板は前記第２端連結板側に突出する第１突出部を有し、前記第２連結板は前記第１端連結板側に突出する第２突出部を有し、組立状態において前記第１突出部と前記第２突出部とが当接するようにしてもよい。かかる構成によれば、仕切り体の形状を安定して維持することができる。
【発明の効果】
【００１０】
本発明に係る段ボールシートは、一方の仕切り板を折畳むことによって、他方の仕切り板の折畳みが誘発され、短い時間で組立作業を行うことができることから、組立作業を容易に行うことができる。また、本発明の段ボールシートは、１枚のシートで構成できることから、取り扱いが容易である。
【発明を実施するための最良の形態】
【００１１】
以下、本発明に係る実施形態について図を参照して説明する。なお、全ての図面において、同一または相当する部分には同一の符号を付し、重複する説明は省略する。
【００１２】
（第１実施形態）
はじめに、図１〜図５を参照して、第１実施形態に係る段ボールシート１００について説明する。まず、図１を参照して、本実施形態に係る段ボールシート１００の構成について説明する。なお、本実施形態に係る段ボールシート１００は、仕切り体１０１（図５等参照）に組み立て可能であって、組み立てられた仕切り体１０１は、段ボールケースC（図５等参照）を６つの領域に仕切ることができるものである。
【００１３】
図１は、本実施形態に係る段ボールシート１００の平面図である。なお、以下では、図１の紙面手前側の面を「表面」とし、図１の紙面奥側の面を「裏面」とし、表面から見て谷に折る場合を「谷折り」とし、また、表面から見て山に折る場合を「山折り」として説明する。図１に示すように、本実施形態に係る段ボールシート１００は、第１端面５、第１中間面６、中央面７、第２中間面８、および第２端面９を有する２枚の仕切り板１と、第１端連結板２と、中央連結板３と、第２端連結板４とから主に構成されている。
【００１４】
仕切り板１は、上述のように第１端面５、第１中間面６、中央面７、第２中間面８、および第２端面９を有しており、この順に連結して形成されている。いずれの面５〜９も略長方形の形状を有しているが、第１端面５の外側辺１０および第２端面９の外側辺１１の一部が、内側にわずかに傾斜している。つまり、仕切り板１の全体は、段ボールシート１００の中央（各連結板２〜４側）に向かって幅（各面５〜９の連結方向の長さ）が狭くなるようテーパ状に形成されている。より詳細には、第１端面５の外側辺１０のうち、第１端連結板２から離れている部分は、各面５〜９の各境界線１２〜１５と平行であるが、第１端連結板２に近い残りの部分は第１端連結板２に近づくにつれて第１中間面６に近づくように傾斜している。また、第２端面９の外側辺１１のうち、第２端連結板４から離れている部分は、各面５〜９の各境界線１２〜１５と平行であるが、第２端連結板４に近い残りの部分は第２端連結板４に近づくにつれて第２中間面８に近づくように傾斜している。
【００１５】
また、第１端面５、第１中間面６、中央面７、第２中間面８、および第２端面９は、高さ（連結方向に垂直な方向の長さ）が同じであるが、幅（連結方向の長さ）が異なる。具体的には、第１端面５と第２端面９の幅が等しく、第１中間面６と第２中間面８の幅が等しい。そして、中央面７の幅は、第１端面５および第２端面９の幅（最も広い部分の幅）よりも大きく、第１中間面６および第２中間面８の幅よりも小さい。
【００１６】
また、仕切り板１を構成する各面５〜９の境界線１２〜１５には、折曲げ加工が施されている。この折曲げ加工は、スリットSと罫線M、Vから構成されている。スリットSは、各面５〜９の境界線１２〜１５の中央付近に形成されている。ここでいう「スリット」とは、表面から裏面に抜けるように形成された切り込みのことをいう。図１では、スリットSは隙間が見えるように記載しているが、実際には隙間は見えない場合が多い。また、罫線M、Vは、スリットSの伸延方向両側に形成されている。ここでいう「罫線」とは、表面又は裏面に窪み（溝）を連続的に形成したものをいい、いずれかの方向に折曲げやすくするために行われる加工である（谷折りしたい側に窪みを形成する。）。
【００１７】
図１の紙面上方の仕切り板１について言えば、中央面７と第１中間面６の境界線１３および中央面７と第２中間面８の境界線１４には谷折りの罫線V（一点鎖線で表示）が形成されており、第１中間面６と第１端面５との境界線１２および第２中間面８と第２端面９との境界線１５には山折りの罫線M（点線で表示）が形成されている。また、図１の紙面下方の仕切り板１について言えば、中央面７と第１中間面６の境界線１３および中央面７と第２中間面８の境界線１４に山折りの罫線Mが形成され、第１中間面６と第１端面５との境界線１２および第２中間面８と第２端面９との境界線１５には谷折りの罫線Vが形成されている。このように、２枚の仕切り板１の各境界線１２〜１５には、それぞれ逆の罫線M、Vが形成されている（一方の仕切り板１において、ある２つの面の境界線に山折りの罫線Mが形成されている場合、他方の仕切り板１において、その２つの面の境界線には谷折りの罫線Vが形成されている。）。
【００１８】
第１端連結板２は、２枚の仕切り板１の第１端面５同士を連結する板である。第１端連結板２は、第１端面５との連結方向に長い長方形の形状を有している。また、第１端連結板２と第１端面５との境界線１６には折曲げ加工が施されている。具体的には、第１端連結板２と第１端面５との境界線１６の中央付近には、スリットSが形成され、スリットSの伸延方向両側には谷折りの罫線V（一点鎖線で表示）が形成されている。
【００１９】
中央連結板３は、２枚の仕切り板１の中央面７同士を連結する板である。中央連結板３の両側辺１９は、その一部が一方の中央面７から他方の中央面７に向かって広がるように形成されている。山折りの罫線Mおよび谷折りの罫線Vを用いて説明すれば、上記の「一方の中央面７」は、隣接する面６、８との境界線１３、１４に谷折りの罫線Vが施されている中央面７であり、上記の「他方の中央面７」は、隣接する面６、８との境界線１３、１４に山折りの罫線Mが施されている中央面７である。また、中央連結板３と中央面７との境界線１７には折曲げ加工が施されている。具体的には、中央連結板３と中央面７との境界線１７の中央付近には、スリットSが形成され、スリットSの伸延方向両側には谷折りの罫線Vが形成されている。
【００２０】
第２端連結板４は、２枚の仕切り板１の第２端面９同士を連結する板である。第２端連結板４は、第２端面９との連結方向に長い長方形の形状を有している。また、第２端連結板４と第２端面９との境界線１８には折曲げ加工が施されている。具体的には、第２端連結板４と第２端面９との境界線１８の中央付近には、スリットSが形成され、スリットSの伸延方向両側には谷折りの罫線Vが形成されている。なお、両仕切り板１と、それ以外の板２〜４との各境界線１６〜１８は、それぞれ一直線上に位置するよう形成されている。
【００２１】
以上が、本実施形態に係る段ボールシート１００の構成である。本実施形態に係る段ボールシート１００は、全ての板１〜４が連結されているため、１枚のシートで形成することができる。そのため、段ボールシート１００を複数枚重ねても安定し、運搬などでの取り扱いが容易である。また、本実施形態に係る段ボールシート１００は、１枚の長方形の段ボールシートをプレス加工（抜き加工）することで成形できる。つまり、中央連結板３と第１端連結板２の間、および中央連結板３と第２端連結板４の間を抜き取る加工、第１端面５、第２端面９、第１端連結板２、および第２端連結板４の外側を切り取る加工、並びに、各面５〜９および各板１〜４の境界線１２〜１８に折曲げ加工を施す加工は、プレス加工（抜き加工）で一度に行うことができるため、製造コストを抑えることができる。
【００２２】
次に、本実施形態に係る段ボールシート１００から仕切り体１０１を組み立てる方法、および使用方法について図２〜図５を参照して説明する。図２〜図５は、本実施形態に係る段ボールシート１００から仕切り体１０１を組み立てる方法を示した図である。まず、図２に示すように、段ボールシート１００の各板１〜４の境界線１６〜１８を谷折りして、２枚の仕切り板１の表面が互いに向き合うように、かつ、２枚の仕切り板１が、第１端連結板２、中央連結板３、および、第２端連結板４に対して垂直になるように形成する。なお、図２の紙面上方に示す段ボールシート１００は折畳み途中の状態であって、図２の紙面下方に示す段ボールシート１００は完全に折畳んだ状態である。また、図２における各段ボールシート１００の上下端付近の波線は、段ボールシート１００の縁端面（切断面）を表わしている（図３、７、および８において同じ）。なお、上述したように、各板１〜４の境界線１６〜１８には谷折りの罫線Vを含む折曲げ加工が施されているため、各板１〜４の境界線１６〜１８における谷折りは容易に行うことができる。
【００２３】
その後、図３に示すように、図３中の矢印の方向に力を加え、各面５〜９の境界線１２〜１５のうち、谷折りの罫線Vを含む折曲げ加工が施された境界線（図１参照）を谷に折り、山折りの罫線Mを含む折曲げ加工が施された境界線（図１参照）を山に折ることで、中央面７を中心にして仕切り板１を凸形状に形成する。つまり、中央面７が突出する部分の先端になるよう各面５〜９の境界線１２〜１５を折曲げる。このように谷折りの罫線Ｖおよび山折りの罫線Ｍの折曲げ方向に従って各面５〜９の境界線１２〜１５を折曲げると、２枚の仕切り板１の中央面７は同一方向に突出することになる。また、このとき、第１端面５と第２端面９が同一面上に位置するようにし、中央面７がこれらと平行に位置するようにする。さらに、第１中間面６および第２中間面８が、連結する中央面７から広がるように形成する。
【００２４】
ここで、上記の折畳み作業において、２枚の仕切り板１を別々に折畳む必要はない。本実施形態による段ボールシート１００によれば、一方の仕切り板１を折畳めば、他方の仕切り板１が折畳まれることになるのである。これは、２枚の仕切り板１の第１端面５同士、中央面７同士、および第２端面９同士が、それぞれ第１端連結板２、中央連結板３、および第２端連結板４によって連結されているためである。さらに言えば、２枚の仕切り板１の第１端面５同士、中央面７同士、および第２端面９同士が、それぞれ連結されているため、一方の仕切り板１において各面５〜９の相対位置を変化させると、これと同じように他方の仕切り板１における各面５〜９の相対位置が変化するためである。よって、本実施形態における段ボールシート１００によれば、各面５〜９の境界線１２〜１５を折曲げる作業（組立作業）を簡略化することができ、組立作業の時間を短縮することができる。
【００２５】
なお、中央連結板３の両側辺１９が広がるように形成されているのは、各面５〜９の境界線１２〜１５を誤った方向に折曲げるのを防止するためである。本実施形態の場合、作業者が、第１中間面６および第２中間面８を中央連結板３の側辺１９に沿うように折曲げることを意識すれば、両側の境界線１３、１４に谷折りの罫線Ｖが形成された方の中央面７では、その両側の境界線１３、１４を誤ることなく谷折りすることができる。以上で仕切り体１０１の組み立てが完了する。
【００２６】
その後、図４に示すように、組み立てられた仕切り体１０１を各連結板２〜４側から段ボールケースCに挿入する。このとき、仕切り体１０１の幅（第１端面５の外側辺１０から第２端面９の外側辺１１までの長さ）が段ボールケースC内の対応する幅よりも小さくなるように仕切り体１０１を縮めた状態で段ボールケースCに挿入する。なお、中央面７と第１中間面６との境界線１３、および中央面７と第２中間面８との境界線１４を直角に近づくように折曲げれば、仕切り体１０１を縮めることができる。仕切り体１０１は、上述のように段ボールシート１００から作られているため可撓性を有し、縮められた状態で段ボールケースCに挿入されると、内部で広がって段ボールケースCの内壁に当接し安定する。なお、上述したように、第１端面５および第２端面９の外側辺１０、１１の一部が、内側に傾斜していることから、比較的容易に仕切り体１０１を段ボールケースCに挿入することができる。
【００２７】
その後、図５（商品Ａが挿入された状態の段ボールケースＣの平面図）に示すように、仕切り体１０１に仕切られた各領域に商品Ａ（本実施形態では瓶；図５では本体とキャップの部分が見えている。）を挿入する。つまり、図５に示すように、段ボールケースＣの内壁および仕切り体１０１によって段ボールケースＣ内は６つの領域に仕切られることになるが、これらの領域にそれぞれ商品Ａを挿入する。以上が、本実施形態に係る段ボールシート１００から仕切り体１０１を組み立てる方法および使用方法である。上述のように、本実施形態の段ボールシート１００によれば、各面５〜９の境界線１２〜１５を折曲げる作業（組立作業）を簡略化することができるため、組立作業を容易に行うことができる。
【００２８】
また、図５に示すように、本実施形態の仕切り体１０１では、第１中間面６および第２中間面８が、連結する中央面７から広がるように形成されている。かかる構成によれば、第１中間面６と第２中間面８とが平行である場合（第１中間面６および第２中間面８が中央面７と直角をなす場合）に比べ、少ない面積の段ボールシートで仕切り体１０１を構成することができる。なお、本実施形態では、段ボールケースＣの内壁および仕切り体１０１によって仕切られた領域のうち、図５の紙面左上の領域を第１領域２１とし、この第１領域２１から時計回りに各領域をそれぞれ第２〜６領域２２〜２６とすると、第２領域２２、第４領域２４、および第６領域２６は連通していることがわかる。ただし、挿入される商品Ａが瓶形状や缶形状のように平面視が円状の形状を有するような場合は、商品Ａは互いに接触することがなく、仕切り体としての機能を十分に発揮することができる。
（第２実施形態）
次に、図６〜図８を参照して、第２実施形態に係る段ボールシート２００について説明する。まず、図６を参照して、本実施形態に係る段ボールシート２００の構成について説明する。図６は、本実施形態に係る段ボールシート２００の平面図である。本実施形態に係る段ボールシート２００は、第１端連結板２が第２端連結板４側に突出する第１突出部２７を有し、また、第２連結板４が第１端連結板２側に突出する第２突出部２８を有する点で、第１実施形態に係る段ボールシート１００と構成が異なる。
【００２９】
より詳細には、第１端連結板２は、第２端連結板４側に突出する第１突出部２７を有しているが、この第１突出部２７は２枚の仕切り板１の第１中間面６の間に位置している。第１突出部２７の先端は、その一部が直線状で各面５〜９の境界線１２〜１５と平行になっている。また、第１突出部２７は、中央面７との境界線１３に山折りの罫線Ｍが形成されている方の第１中間面６側（図６の紙面下側）に傾くように形成されている。さらに、第１中間面６は、第１突出部２７側の部分が第１実施形態の場合に比べ、段ボールシート２００の厚み分だけ切り欠かれた形状となっている。
【００３０】
同様に、第２端連結板４は、第１端連結板２側に突出する第２突出部２８を有しているが、この第２突出部２８は２枚の仕切り板１の第２中間面８の間に位置している。第２突出部２８の先端は、その一部が直線状で各面５〜９の境界線１２〜１５と平行になっている。また、第２突出部２８は、中央面７との境界線１３に山折りの罫線Ｍが形成されている方の第２中間面８側（図６の紙面下側）に傾くように形成されている。さらに、第２中間面８は、第２突出部２８側の部分が第１実施形態の場合に比べ、段ボールシート２００の厚み分だけ切り欠かれた形状となっている。
【００３１】
次に、本実施形態に係る段ボールシート２００から仕切り体２０１を組み立てる方法、および使用方法について図７〜図８を参照して説明する。図７〜図８は、本実施形態に係る段ボールシート２００から仕切り体２０１を組み立てる方法を示した図である。まず、第１実施形態の図２に示す場合と同様に、図７に示すように、段ボールシート２００の各板１〜４の境界線１６〜１８を谷折りして、２枚の仕切り板１の表面が互いに向き合うように、かつ、２枚の仕切り板１が、第１端連結板２、中央連結板３、および、第２端連結板４に対して垂直になるように形成する。なお、各板１〜４の境界線１６〜１８には谷折りの罫線Ｖを含む折曲げ加工が施されているため、各板１〜４の境界線１６〜１８における谷折りは容易に行うことができる。
【００３２】
その後、図８に示すように、図８中の矢印の方向に力を加え、各面５〜９の境界線１２〜１５のうち、谷折りの罫線Ｖを含む折曲げ加工が施された境界線（図６参照）を谷に折り、山折りの罫線Ｍを含む折曲げ加工が施された境界線（図６参照）を山に折ることで、中央面７を中心に仕切り板１を凸形状に形成する。つまり、中央面７が突出する部分の先端になるよう各面５〜９の境界線１２〜１５を折曲げる。このように谷折りの罫線Ｖおよび山折りの罫線Ｍの折曲げ方向に従って各面５〜９の境界線１２〜１５を折曲げると、２枚の仕切り板１の中央面７は同一方向に突出することになる。なお、このとき、第１端連結板の第１突出部と、第２連結板の第２突出部とが当接するようにする。これにより、第１端面５と第２端面８が同一面上に位置するように、これらと平行に中央面７が位置するように、そして、第１中間面６および第２中間面８が連結する中央面７から広がるように形成される。
【００３３】
なお、上述したように、第１中間面６の第１突出部２７側の部分、および第２中間面８の第２突出部２８側の部分は、段ボールシート２００の厚み分だけ切り欠かれた形状となっているため、図８に示すように段ボールシート２００を折畳んだ場合であっても、第１突出部２７と第１中間面６が互いに接触して変形等することはなく、第２突出部２８と第２中間面８も互いに接触して変形等することはない。また、第１突出部２７と第２突出部２８が当接しているとき、第１中間面および第２中間面が両側辺１９に当接するように、中央連結板３を形成するようにしてもよい。以上で仕切り体２０１の組み立てが完了する。
【００３４】
その後、第１実施形態の場合と同様に、仕切り体２０１を段ボールケースに挿入し（図４参照）、仕切り体２０１と段ボールケースの内壁で仕切られた領域に商品を挿入する（図５参照）。なお、上述したように、第１突出部２７および第２突出部２８が一方に傾斜している。これは、仕切り体２０１で仕切られた領域の中心が、段ボールシート２００の厚み分だけずれるのを考慮したためである。つまり、第１突出部２７と第２突出部２８とは、図５の第５領域２５に相当する領域で当接することになるが、この領域の中心は段ボールシート２００の厚み分だけ段ボールケースＣの内壁側にずれているため、第１突出部２７および第２突出部２８を上記の内壁側に傾斜させなければ、第１突出部２７および第２突出部２８の当接する部分がこの領域の中心からずれてしまい、上記領域に挿入された商品Ａが傾くことになるからである。
【００３５】
以上が、本実施形態に係る段ボールシート２００を仕切り体２０１に組み立てる方法、および使用方法である。本実施形態では、仕切り体２０１が形成されている状態で、第１突出部２７と第２突出部２８が当接していることから、仕切り体２０１が完成した状態からさらに縮むよなことはなく、仕切り体２０１はその形状を安定して維持することができる。よって、本実施形態によれば、仕切り体２０１の形状に精度が求められるような場合、例えば、機械装置によって製品が段ボールケースに挿入される梱包工程に用いるような場合には有効である。
【産業上の利用可能性】
【００３６】
本発明によれば、仕切り体に組み立て可能な段ボールシートであって、組立作業が容易で、かつ、取り扱いが容易な段ボールシートを提供することができる。よって、仕切り体の技術分野において有益である。
【図面の簡単な説明】
【００３７】
【図１】本発明の一の実施形態に係る段ボールシートの平面図である。
【図２】本発明の一の実施形態に係る仕切り体の組み立て方法を示した図である。
【図３】本発明の一の実施形態に係る仕切り体の組み立て方法を示した図である。
【図４】本発明の一の実施形態に係る仕切り体の組み立て方法を示した図である。
【図５】本発明の一の実施形態に係る仕切り体の組み立て方法を示した図である。
【図６】本発明の他の実施形態に係る段ボールシートの平面図である。
【図７】本発明の他の実施形態に係る仕切り体の組み立て方法を示した図である。
【図８】本発明の他の実施形態に係る仕切り体の組み立て方法を示した図である。
【符号の説明】
【００３８】
１  仕切り板
２  第１端連結板
３  中央連結板
４  第２端連結板
５  第１端面
６  第１中間面
７  中央面
８  第２中間面
９  第２端面
１２〜１８  境界線
２７  第１突出部
２８  第２突出部
１００、２００  段ボールシート
１０１、２０１  仕切り体
【図１】
2010030668.tif 000003
【図２】
2010030668.tif 000004
【図３】
2010030668.tif 000005
【図４】
2010030668.tif 000006
【図５】
2010030668.tif 000007
【図６】
2010030668.tif 000008
【図７】
2010030668.tif 000009
【図８】
2010030668.tif 000010